(57)【特許請求の範囲】
【請求項１】
基地局（６４）と、移動局（６２）と、処理デバイス（６１）を有する測定ユニット（６０）とを有する測定デバイスであって、
前記測定ユニット（６０）及び前記移動局（６２）が、各々、少なくとも２本のアンテナ（６３、６６）を使用して、前記基地局（６４）の少なくとも２本のアンテナ（６５）から信号を受信し、
前記移動局（６２）が、受信した前記信号の直交性から第１のチャネル品質フィードバック値を決定し、
前記処理デバイス（６１）が、前記測定ユニット（６０）が受信した前記信号の直交性から第２のチャネル品質フィードバック値を決定し、前記第１のチャネル品質フィードバック値及び前記第２のチャネル品質フィードバック値から、前記移動局（６２）のチャネル品質フィードバック値の品質を決定することを特徴とする測定デバイス。
【請求項２】
前記移動局（６２）が、受信した前記信号の信号対ノイズ比から第３のチャネル品質フィードバック値を決定し、
前記処理デバイス（６１）が、前記第２のチャネル品質フィードバック値及び前記第３のチャネル品質フィードバック値を、相互に比較可能な共通フォーマットに変換し、変換された前記第２のチャネル品質フィードバック値及び変換された前記第３のチャネル品質フィードバック値から、前記移動局（６２）のチャネル品質フィードバック値の品質を決定することを特徴とする、請求項１に記載の測定デバイス。
【請求項３】
前記測定ユニット（６０）及び前記移動局（６２）が、データ線（６９）又は無線接続によって互いに接続されることを特徴とする、請求項１又は２に記載の測定デバイス。
【請求項４】
前記処理デバイス（６１）が、前記基地局（６４）から送信された前記信号の既知の信号部分に基づいて、前記受信した信号の直交性を決定することを特徴とする、請求項１乃至３のいずれかに記載の測定デバイス。
【請求項５】
前記移動局（６２）が、測定中に前記基地局（６４）との通信接続をセットアップし、
前記測定ユニット（６０）が、前記基地局（６４）との通信接続をセットアップせず、
前記処理デバイス（６１）が、前記測定ユニット（６０）が受信した前記基地局（６４）の制御チャネル信号に基づいて前記直交性を決定することを特徴とする、請求項１乃至４のいずれかに記載の測定デバイス。
【請求項６】
前記移動局（６２）及び前記測定ユニット（６０）が、各々、測定中に前記基地局（６４）との通信接続をセットアップすることを特徴とする、請求項１乃至４のいずれかに記載の測定デバイス。
【請求項７】
前記測定ユニット（６０）に、前記移動局（６２）のチャネル品質フィードバック値の品質を表示する表示デバイス（６８）を設けることを特徴とする、請求項１乃至６のいずれかに記載の測定デバイス。
【請求項８】
チャネル品質フィードバック値を決定するための測定方法であって、
測定ユニット（６０）及び測定対象の移動局（６２）によって、各々、少なくとも２本のアンテナ（６３、６６）を使用して、基地局（６４）の少なくとも２本のアンテナ（６５）から信号が受信され、
前記移動局（６２）によって受信された前記信号の直交性から第１のチャネル品質フィードバック値が決定され、
前記測定ユニット（６０）によって受信された前記信号の直交性から第２のチャネル品質フィードバック値が決定され、
前記第１のチャネル品質フィードバック値及び前記第２のチャネル品質フィードバック値から、前記移動局（６２）のチャネル品質フィードバック値の品質が決定されることを特徴とする測定方法。
【請求項９】
前記移動局（６２）によって受信された前記信号の信号対ノイズ比から第３のチャネル品質フィードバック値が決定され、
前記第２のチャネル品質フィードバック値及び前記第３のチャネル品質フィードバック値を、相互に比較可能な共通フォーマットに変換し、
変換された前記第２のチャネル品質フィードバック値及び変換された前記第３のチャネル品質フィードバック値から、前記移動局（６２）のチャネル品質フィードバック値の品質が決定されることを特徴とする、請求項８に記載の測定方法。
【請求項１０】
前記受信した信号の直交性が、前記基地局（６４）から送信された前記信号の既知の信号部分に基づいて決定されることを特徴とする、請求項８又は９に記載の測定方法。
【請求項１１】
測定中に、測定対象の前記移動局（６２）と前記基地局（６４）との間で通信接続がセットアップされ、
前記測定ユニット（６０）と前記基地局（６４）との間に通信接続がセットアップされず、
前記直交性が、前記測定ユニット（６０）によって受信された前記基地局（６４）の制御信号に基づいて決定されることを特徴とする、請求項８乃至１０のいずれかに記載の測定方法。
【請求項１２】
測定中に、前記移動局（６２）と前記基地局（６４）との間、及び、前記測定ユニット（６０）と前記基地局（６４）との間で、各々、通信接続がセットアップされることを特徴とする、請求項８乃至１０のいずれかに記載の測定方法。
【請求項１３】
前記移動局（６２）のチャネル品質フィードバック値の品質が、前記測定ユニット（６０）に表示されることを特徴とする、請求項８乃至１２のいずれかに記載の測定方法。
【発明の詳細な説明】
【技術分野】
【０００１】
本発明は、移動無線通信システム内の移動局からのチャネル品質フィードバックの品質を決定するための測定デバイス、及び移動無線通信システム内の移動局からのチャネル品質フィードバックの品質を決定するための方法に関する。
【背景技術】
【０００２】
移動無線システム内の移動局は、従来、通信チャネルの品質に関して、以下チャネル品質フィードバックと呼ばれるチャネル品質フィードバックメッセージで、移動局に接続した基地局に報告する。所与のスペクトルで達成可能な伝送速度の最大化は、例えば、変調法を適合させることによって達成される。このようにして、基地局は最適な伝送を保証することが出来る。この目的のために、従来、受信した既知のデータの信号対ノイズ比が移動局によって決定される。ここからチャネル品質フィードバック（チャネル品質フィードバック）が生成され、基地局に送り返される。
【０００３】
例えば、米国特許出願第ＵＳ２００７／００６４３２号明細書は、移動局がチャネル品質フィードバックを基地局に送信する移動無線システムを開示している。移動局のチャネル品質フィードバックに基づき、基地局は変調を調整する。このようにして、達成可能な伝送速度の上昇が可能である。
【０００４】
将来の移動無線システムでは、ＭＩＭＯ（多入力多出力）が使用され、これは、いずれの場合にも複数の送信アンテナ及び複数の受信アンテナが使用されることを意味する。将来の容量の更なる増加を達成するために、前記複数の送信アンテナを介して異なるデータが送信される可能性がある。今日、複数の個々の通信チャネルの信号対ノイズ比は、チャネル品質の信頼度の高い評価を提供するにはもはや十分ではない。
【発明の概要】
【発明が解決しようとする課題】
【０００５】
本発明は、チャネル品質フィードバック値を決定するための、従って、移動局のチャネル品質フィードバックの品質を高精度で評価するための測定デバイス及び測定方法を提供するという目的に基づく。
【課題を解決するための手段】
【０００６】
この目的は、独立請求項１の特徴に基づくデバイスの、及び独立請求項８の特徴に基づく方法の本発明に従って達成される。有益な更なる展開はこれらの請求項を参照する従属請求項の主題を形成する。
【０００７】
移動局のための本発明による測定デバイスは、基地局、移動局、及び処理デバイスを有する測定ユニットを含む。測定ユニット及び移動局は、各々、少なくとも２本のアンテナを使用して、基地局の少なくとも２本のアンテナから信号を受信する。移動局は、受信した信号の直交性から第１のチャネル品質フィードバック値を決定する。処理デバイスは、測定ユニットが受信した信号の直交性から第２のチャネル品質フィードバック値を決定する。
【０００８】
処理デバイスは、第１のチャネル品質フィードバック値及び第２の品質フィードバック値から、移動局のチャネル品質フィードバック値の品質を決定する。従って、移動局のチャネル品質フィードバック値の品質の正確な評価が低コストで可能である。
【０００９】
移動局は、好ましくは、受信した信号の信号対ノイズ比から、第３のチャネル品質フィードバック値を決定する。チャネル品質フィードバック値の非常に簡易な決定がこのようにして可能である。
【００１０】
処理デバイスは、第２のチャネル品質フィードバック値及び第３のチャネル品質フィードバック値を、相互に比較可能な共通フォーマットに変換し、変換された第２のチャネル品質フィードバック値及び変換された第３のチャネル品質フィードバック値から、移動局のチャネル品質フィードバック値の品質を決定する。移動局のチャネル品質フィードバック値の高精度な評価がこのようにして可能である。
【００１１】
測定ユニット及び移動局は、好ましくは、データ線又は無線接続によって互いに接続される。このようにして、ペイロードデータに基づく移動局のチャネル品質フィードバック値の評価が可能である。
【００１２】
処理デバイスは、好ましくは、基地局から送信された信号の既知の信号部分に基づいて受信した信号の直交性を決定する。チャネル品質フィードバック値の非常に簡易な決定がこのようにして可能である。
【００１３】
移動局は、好ましくは、測定中に基地局との通信接続をセットアップする。この場合、測定ユニットは、好ましくは、基地局との通信接続をセットアップしない。処理デバイスは、好ましくは、測定ユニットが受信した基地局の制御チャネル信号に基づいて直交性を決定する。チャネル品質フィードバック値の非常に簡易な決定がこのようにして可能である。特に、送信されたペイロードデータのデコーディングは必要とされない。
【００１４】
別の形態として、移動局及び測定ユニットは、各々、測定中に基地局との通信接続をセットアップする。チャネル品質フィードバック値の非常に簡易な決定がこのようにして可能である。なぜなら、測定ユニットもペイロードデータを受信してデコードすることが出来るからである。
【００１５】
更に、測定ユニットは、好ましくは、移動局のチャネル品質フィードバック値の品質を表示する表示デバイスを設ける。測定ユニットの非常に簡易な操作がこのようにして可能である。
【００１６】
本発明は、本発明の有益な模範的実施形態を示す図面に基づいて、一例として以下に記述される。図面は以下の通りである。
【図面の簡単な説明】
【００１７】
【図１】例示のＭＩＭＯ伝送システムを示す。
【図２】前記例示のＭＩＭＯ伝送システムのブロック回路図を示す。
【図３】前記例示のＭＩＭＯ伝送システムの第１の伝送パターンと第２の伝送パターンを示す。
【図４】本発明による測定デバイスの例示の実施形態を示す。
【図５】本発明による測定方法の例示の実施形態を示す。
【発明を実施するための形態】
【００１８】
初めに、ＭＩＭＯ通信システムの構造及び機能を図１乃至３ｂに基づいて説明する。次に、図４を参照して本発明による測定デバイスの構造及び機能を示す。最後に、図５に基づいて、本発明による測定方法の機能を示す。類似の図面では、同一要素を繰り返し表示及び記述していない場合がある。
【００１９】
図１には、例示のＭＩＭＯ伝送システムを示す。ここでは図示しないデータソース、例えば基地局から、複数のデータストリームｘ1〜ｘMTが生成され、プレコーディング変調デバイス１０（プレコーディング変調デバイス）に送信される。プレコーディング変調デバイス１０（プレコーディング変調デバイス）は、複数の信号ｘ1〜ｘMTを複数の信号出力に分配し、プレコーディング（プレコーディング）を実施する。即ち、個々の信号ｘ1〜ｘMTを重み付け係数によって重み付けし、場合により結合する。これは、図２を参照してより詳細に示される。従って、プレコーディング変調デバイス１０（プレコーディング変調デバイス）内では、複数のアンテナ１２及び１３に対するデジタル出力信号が得られる。
【００２０】
デジタル出力信号はプレコーディング変調デバイス１０（プレコーディング変調デバイス）によって変調され、アナログ出力信号ｚ1〜ｚMTを形成する。これらの信号ｚ1〜ｚMTは複数の送信アンテナ１２及び１３に供給される。送信アンテナ１２及び１３は変調信号ｚ1〜ｚMTを送信する。送信アンテナ１２及び１３は同じ空間位置に配置されていない。従って、複数の受信アンテナ１４及び１５に対して異なる送信チャネル１６が得られる。１個の送信アンテナ１２又は１３から送信された信号が１個の受信アンテナ１４又は１５によって独占的に受信されれば、最適な伝送が得られる。しかし、通常、送信アンテナ１２及び１３の信号が複数の受信アンテナ１４及び１５によって受信されるため、実際はこうならない。
【００２１】
受信アンテナ１４及び１５に受信されたアナログ信号ｙ1〜ｙMTは、受信アンテナ１４及び１５によって復調受信デバイス１１へ送信される。復調受信デバイス１１は、初めに、アナログ信号ｙ1〜ｙMTを復調し、次に送信信号ｘ1〜ｘMTを再構成する。復調受信デバイス１１は、再構築された送信信号ｘ’1〜ｘ’MTをデータシンク、例えば移動局へ出力する。
【００２２】
この場合の送信の品質は、個々の送信アンテナ１２及び１３からの信号がどの程度強固な束になって個々の受信アンテナ１４及び１５によって受信されるかによって大きく左右される。１個の送信アンテナ１２又は１３の信号が１個の受信アンテナ１４又は１５によってのみ受信されるという最適な場合が存在すれば、送信アンテナ１２又は１３及び受信アンテナ１４又は１５の各対に対して完全に独立した送信チャネルが得られる。従って送信チャネルの容量が追加される。しかし、個々の受信アンテナ１４及び１５に対して送信信号が集中しなければ、送信の総容量は大幅に減少する。
【００２３】
受信した信号から、復調受信デバイス１１は更にチャネル品質フィードバック値を決定し、このチャネル品質フィードバック値は、送信の終わりに更なる通信チャネル１７を介してプレコーディング変調デバイス１０（プレコーディング変調デバイス）に送り返される。プレコーディング変調デバイス１０（プレコーディング変調デバイス）は、復調受信デバイス１１によってフィードバックされる所与のチャネル品質で最適な送信が達成されるように、プレコーディング（プレコーディング）及び変調を調整する。復調受信デバイス１１は、既知の送信シンボルによって個々の受信アンテナ１４又は１５の信号対ノイズ比に基づいてチャネル品質フィードバック値を決定する。本発明による測定ユニットは、チャネル品質フィードバックを決定するための別の方法として送信チャネル１６の直交性を使用する。移動局がチャネル品質フィードバック値を決定するために直交性を使用することも可能である。
【００２４】
図２は、例示のＭＩＭＯ伝送システムの送信部を示す。ここで使用される伝送システムは、２個の送信アンテナ３４及び３５を含む。しかし、送信アンテナの数がより多くなることは容易に想像出来る。更に、伝送システムは、２個のトランスポートブロック処理デバイス２０及び２１を含む。これらは各々ミキサ２２又は２３に接続される。ミキサ２２及び２３は各々ミキサ２４、２５、２６、及び２７の内の２個に接続される。この場合、ミキサ２２はミキサ２４及び２５に接続され、ミキサ２３はミキサ２６及び２７に接続される。ミキサ２４及び２６は加算器３０に接続される。ミキサ２５及び２７は加算器３１に接続される。加算器３０は更に加算器３２に接続される。加算器３１は更に加算器３３に接続される。加算器３２及び３３は各々図示されない変調デバイスを介して送信アンテナ３４及び３５に接続される。
【００２５】
更に、重み付けデバイス２８がミキサ２４〜２７に接続される。重み付けデバイス２８は更に通信接続部２９を介して伝送の受信端に接続される。
【００２６】
第１のトランスポートブロックＨＳ−ＤＳＣＨ1（高速ダウンリンク共有チャネル１）がトランスポートブロック処理デバイス２０へ供給される。第２のトランスポートブロックＨＳ−ＤＳＣＨ2（高速ダウンリンク共有チャネル２）は第２のトランスポートブロック処理デバイス２１へ供給される。トランスポートブロック処理デバイス２０及び２１は、トランスポートブロックＨＳ−ＤＳＣＨ1及びＨＳ−ＤＳＣＨ2を更に処理する。この場合のトランスポートブロックＨＳ−ＤＳＣＨ1及びＨＳ−ＤＳＣＨ2はトランスポートブロック処理デバイス２０及び２１によって結合され、更なる処理に適した連続信号を形成する。前記信号はトランスポートブロック処理デバイス２０及び２１によってミキサ２２及び２３へリルートされる。スペクトル幅を増加するため及び／又はエンコーディングのため、前記信号はミキサ２２及び２３によって拡散シーケンスと混合される。この場合、拡散シーケンスはデジタル信号であり、そのクロックレートは、トランスポートブロック処理デバイス２０及び２１によって送信された信号のクロックレートよりも大幅に高い。ミキサ２２及び２３の結果として生じた信号は、更なるミキサ２４〜２７へ供給される。ミキサ２２の信号は、ミキサ２４及び２５へ供給され、ミキサ２３の信号はミキサ２６及び２７へ供給される。ミキサ２４〜２７は、いずれも前記信号を重み付け信号ｗ1〜ｗ4と混合する。
【００２７】
この場合の重み付け信号ｗ1〜ｗ4は、重み付けデバイス２８によって生成される。重み付けデバイス２８は、通信デバイスの受信端から通信接続部２９を介して送信されたチャネル品質フィードバック値に基づいて重み付け信号ｗ1〜ｗ4を生成する。
【００２８】
ミキサ２４〜２７の重み付けされた出力信号は、加算器３０及び３１へ供給される。この場合、ミキサ２４及びミキサ２６の信号は加算器３０へ供給される。ミキサ２５及びミキサ２７の信号は加算器３１へ供給される。加算器３０又は３１の出力での信号は、主にペイロードデータからなる。それらの信号は加算器３２及び３３へ供給され、加算器３２、３３はいずれもパイロット信号ＣＰＩＣＨ1及びＣＰＩＣＨ2（共通パイロットチャネル１又は２）を加算する。加算器３２及び３３の結果として生じた信号は図示されない変調デバイスによっていずれも変調されてアナログ信号を形成し、送信アンテナ３４及び３５へ供給される。送信アンテナ３４及び３５はいずれも結果として生じた信号を送信する。
【００２９】
重み付け信号ｗ1〜ｗ4によって、２個の送信アンテナ間での送信される信号の分配が調整される。チャネル容量の最適な利用はこのようにして得られる。また、使用すべき変調方法を決定するために、ここでは図示されない変調デバイスによってチャネル品質フィードバック値が使用される。
【００３０】
図３ａ及び３ｂは、時間及び周波数領域でのＭＩＭＯ伝送システムにおける例示の送信信号を示す。従って、図３ａは、第１の送信アンテナによって送信された信号を示し、図３ｂは第２の送信アンテナによって送信された信号を示す。送信信号の時間経過を縦座標に示す。各図面において、周波数は横座標に示す。時間分ｔ2はここでは、例えば１ミリ秒の長さを有するサブフレーム（サブフレーム）に対応する。時間分ｔ1は、例えば０．５ミリ秒の長さを有するタイムスロット（タイムスロット）に対応する。この場合の個々のブロック４０、４１、４２、５０、５１、及び５２は、送信されるデータで満たされうる時間及び周波数領域内の一部分である。
【００３１】
図３ａにおいて、ブロック４１はペイロードデータの送信に提供されるブロックを示す。ブロック４０はここでは参照シンボルの送信に使用される。ブロック４２は信号の送信に使用されない。図３ｂにおいて、ブロック５１はペイロードデータの送信に使用され、ブロック５０は参照シンボルの送信に使用される。ブロック５２はここでは信号の送信に使用されない。ブロック４０及び５０において送信される参照シンボルは予め指定される。即ち、受信機は、参照シンボル４０、５０の受信前に、期待されるシンボルを既に知っている。
【００３２】
図３ａ及び３ｂに示す２本の送信アンテナの信号は、送信アンテナによって同時に送信される。参照シンボル４０及び５０、及びシンボルの送信に使用されないブロック４２及び５２は、互いに常に異なる。シングルデータストリーム送信（シングルストリーム送信）の場合、２本の送信アンテナから同時に送信されるペイロードデータ４１及び５１は同じである。デュアルデータストリーム送信（デュアルストリーム送信）が存在すれば、２本の送信アンテナから同時に送信されるペイロードデータ４１及び５１は互いに異なる。従って、送信された信号は、シングルストリーム送信（シングルストリーム送信）の場合もデュアルストリーム送信（デュアルストリーム送信）の場合も異なる。
【００３３】
図４は測定デバイスの例示の実施形態を示す。この場合、移動局６２は基地局６４と通信接続されている。移動局６２は少なくとも２本のアンテナ６３を提供する。基地局６４もまた少なくとも２本のアンテナ６５を備える。移動局６２は測定ユニット６０に接続される。この場合の接続は、例えば測定ユニット６０の回線６９及び接続部６７によって実施される。測定ユニット６０は更に処理デバイス６１、少なくとも２本のアンテナ６６及び表示デバイス６８を含む。接続部６７は処理デバイス６１に接続される。アンテナ６６及び表示デバイス６８も処理デバイス６１に接続される。測定ユニット６０もそのアンテナ６０によって基地局６４から信号を受信する。しかし、この場合、測定ユニット６０を基地局６４と通信接続状態にしない。他の実施形態では、測定ユニット６０が基地局６４との常時通信接続をセットアップする。
【００３４】
少なくとも２本のアンテナ６５を使用して、基地局６４は図３ａ及び３ｂを参照して示したような信号を送信する。前記信号は、損失係数をもたらす通信チャネルを介して送信される。実際の状況では、１本の送信アンテナ６５の複数の信号が、いずれも移動局６２の１本の受信アンテナ６３によってのみ受信されるか、夫々測定ユニット６０の１本の受信アンテナ６６によってのみ受信されるかは不明である。２本の送信アンテナの伝播経路の相互の直交性が高いほど、送信されたデータストリームの相互障害は小さい。伝播経路同士の直交性は従って送信チャネルの品質の良い指標である。
【００３５】
図３ａ及び３ｂを参照して示すように、現在の通信方法、例えば、３Ｇ、ＨＳＰＡ、ＬＴＥの場合、異なる参照信号又はパイロット信号は、２本のアンテナを介して送信される。これらの参照信号又はパイロット信号に基づくチャネル推定に基づいて、受信サイトで２個のアンテナの信号の互いに対する直交性を決定することが出来る。両アンテナのチャネル推定によって、完全なチャネル行列
【００３６】
【数１】
0005635610.tif 000002
を推定することが出来る。アンテナ経路同士の直交性の指標は、例えば、前記行列の可逆性である。前記直交性は、係数ｈ12とｈ21とを比較することによっても推定可能である。
【００３７】
少なくとも２本の受信アンテナ６３によって、移動局６２は、基地局６４が２本の送信アンテナ６５によって送信した信号を受信する。前記既知のパイロットシンボル又は参照シンボルに基づき、移動局６２はチャネル推定を実施する。この場合、移動局６２は少なくともチャネル対ノイズ比を決定する。他の実施形態では、移動局６２は更に前記チャネル推定から受信サイトで２本のアンテナ信号同士の直交性を決定する。前記チャネル推定から、又は前記直交性から、移動局６２はチャネル品質フィードバック値（チャネル品質フィードバック値）を決定し、移動局６２は送信線６９を介してそのチャネル品質フィードバック値を測定ユニット６０へ送信する。測定ユニット６０は接続部６７を介してチャネル品質フィードバック値を受信し、そのチャネル品質フィードバック値を処理デバイス６１へリルートする。
【００３８】
同時に、測定ユニット６０は、２本の受信アンテナ６６によって、基地局６４が２本の送信アンテナ６５を使用して送信した信号を受信する。移動局６２と同様に、測定ユニット６０は前記既知の参照又はパイロット信号に基づいてチャネル推定を実施する。この場合、測定ユニット６０は移動局６２よりもはるかに精度が高い。測定ユニット６０の処理デバイス６１は送信アンテナ６６から信号を受信して、チャネル推定を実施する。処理デバイス６１は、更に、チャネル推定から、受信信号同士の直交性を決定する。更に、測定ユニット６０の処理デバイス６１は、受信信号同士の自己決定直交性を移動局６２から送信されたチャネル品質フィードバック値と比較する。移動局６２のチャネル品質フィードバック値が直交値であれば、この比較は直接実施出来る。移動局６２のチャネル品質フィードバック値が信号対ノイズ値であれば、これらの値は比較される前に共通フォーマットに変換される。これは、例えば乗算、ロギング、累乗、又は加算によって実行出来る。
【００３９】
処理デバイス６１は、決定したデータ及び／又は移動局から送信された品質フィードバック値を表示デバイス６８へリルートする。測定ユニット６０はこれらのデータを表示デバイス６８に表示する。
【００４０】
測定ユニット６０及び移動局６２が空間的に近接して配置されていれば、基地局６４から移動局６２への送信チャネルと基地局６４から測定ユニット６０への送信チャネルは同等である。移動局６２のチャネル品質フィードバック値を測定ユニット６０によって決定した理想的なチャネル品質フィードバック値と比較することによって、移動局のチャネル品質フィードバックの品質を決定することが出来る。この品質の測定も測定ユニット６０によって表示デバイス６８に表示される。
【００４１】
図５は、本発明による測定方法の例示の実施形態を示す。第１のステップ８０では、基地局から送信された２つの信号同士の直交性を決定する。前記２つの信号同士の直交性から、基地局から受信サイトへの送信チャネルのチャネル品質を第２のステップ８１にて決定する。第３のステップ８２では、移動局のチャネル品質フィードバック値を決定する。即ち、移動局も基地局から送信された前記信号を受信し、これらの信号からチャネル品質フィードバック値を決定し、このチャネル品質フィードバック値は本ステップにて登録される。第４のステップ８３では、前記直交性に基づいて決定したチャネル品質フィードバック値を移動局のチャネル品質フィードバック値と比較する。第５のステップ８４では、移動局のチャネル品質フィードバック値の品質を前記チャネル品質フィードバック値の比較に基づいて決定する。最後の第６のステップ８５では、移動局のチャネル品質フィードバック値の品質を表示する。
【００４２】
本発明は説明した例示の実施形態に制限されない。従って、本発明はＭＩＭＯを利用する全ての通信方法とともに使用可能である。アンテナの数を増加することも可能である。上述した又は図面で説明した全特徴は、本発明の構成の範囲内で必要に応じて有利に組み合わせることが出来る。
【図１】
0005635610.tif 000003
【図２】
0005635610.tif 000004
【図３】
0005635610.tif 000005
【図４】
0005635610.tif 000006
【図５】
0005635610.tif 000007